(57)【特許請求の範囲】
【請求項１】
揮発性成分を含む液体洗剤がプラスチックフィルム内に封入された液体洗剤入りパウチが外箱内に複数個梱包されてなる液体洗剤入りパウチ梱包箱であって、
前記複数の液体洗剤入りパウチの間に、吸液性を有する吸収シートが挟まれて、前記液体洗剤入りパウチと前記吸収シートとが交互に積み重ねられて前記外箱内に梱包されていることを特徴とする液体洗剤入りパウチ梱包箱。
【請求項２】
前記吸収シートは、紙、不織布又はウレタンシートである請求項１に記載の液体洗剤入りパウチ梱包箱。
【請求項３】
前記液体洗剤のｐＨは１０以上である請求項１又は２に記載の液体洗剤入りパウチ梱包箱。
【請求項４】
前記揮発性成分は、揮発性アルカリ剤である請求項１〜３のいずれかに記載の液体洗剤入りパウチ梱包箱。
【請求項５】
前記揮発性アルカリ剤は、モノエタノールアミン及びジエタノールアミンからなる群より選ばれる少なくとも１種を含む請求項４に記載の液体洗剤入りパウチ梱包箱。
【請求項６】
前記プラスチックフィルムは、ポリエチレンフィルム、ナイロンフィルム、若しくは、ポリエチレンテレフタレートフィルムからなる単層フィルム、又は、ポリエチレンフィルム、ナイロンフィルム、若しくは、ポリエチレンテレフタレートフィルムのうちの１種類又は複数種類からなる多層フィルムからなる請求項１〜５のいずれかに記載の液体洗剤入りパウチ梱包箱。
【請求項７】
前記外箱の外形は直方体であり、
前記液体洗剤入りパウチを平面視した形状は平行四辺形であり、
前記外箱を平面視した際に、前記外箱の内壁面に、前記液体洗剤入りパウチの少なくとも１辺が接するように前記液体洗剤入りパウチが配置されており、
前記外箱を平面視した際に、前記外箱と前記液体洗剤入りパウチとの隙間には補強材が配置されている請求項１〜６のいずれかに記載の液体洗剤入りパウチ梱包箱。
【請求項８】
外箱内に、揮発性成分を含む液体洗剤がプラスチックフィルム内に封入された液体洗剤入りパウチと、吸液性を有する吸収シートとを交互に積み重ね、複数の前記液体洗剤入りパウチの間に、前記吸収シートを挟む工程を含むことを特徴とする請求項１〜７のいずれかに記載の液体洗剤入りパウチ梱包箱の製造方法。
【発明の詳細な説明】
【技術分野】
【０００１】
本発明は、液体洗剤入りパウチ梱包箱及び液体洗剤入りパウチ梱包箱の製造方法に関する。
【背景技術】
【０００２】
台所用、浴室用、厨房用等の洗剤として、液体洗剤が知られている。液体洗剤の中には、高濃度に濃縮した濃縮液体洗剤を、使用時に、所望の濃度に希釈して使用するものがある。
濃縮液体洗剤は、例えば、保持用容器内に保持されてエンドユーザへと搬送される。そして、エンドユーザは、濃縮液体洗剤を希釈用容器に移しかえ、水等の溶媒を用いて所望の濃度に希釈することにより使用することになる。濃縮液体洗剤は、あらかじめ所望の濃度に設定された液体洗剤に比べて、保存場所や輸送重量を低減でき、これにより輸送費等のコストの削減が図れることから、より高濃度化することが望まれている。
【０００３】
このような保持用容器として、プラスチックフィルム製の包装容器が用いられることがある。このような包装容器は「パウチ」と呼ばれる。特許文献１には、このようなパウチの一例が開示されている。
【先行技術文献】
【特許文献】
【０００４】
【特許文献１】特開２０１２−２５５１２１号公報
【発明の概要】
【発明が解決しようとする課題】
【０００５】
このようなパウチには液体洗剤が封入され、液体洗剤入りパウチとされる。そして、搬送時には、外箱内に複数の液体洗剤入りパウチが積み重ねられて梱包された液体洗剤入りパウチ梱包箱として搬送されることになる。
搬送先においては、液体洗剤入りパウチ梱包箱から液体洗剤入りパウチを取り出し使用されることになる。例えば、液体洗剤が、上記のような濃縮液体洗剤である場合、濃縮液体洗剤を希釈するとかなりの量の液体洗剤とすることができる。従って、次の液体洗剤入りパウチを使用するまでの間、長期間に渡り希釈された液体洗剤を使用することができる。そのため、液体洗剤入りパウチ梱包箱内の液体洗剤入りパウチは、下段に向かうにつれ長期間保管される場合もある。
【０００６】
このように液体洗剤入りパウチが長期間保管されると、液体洗剤に含まれる揮発性成分が液体洗剤入りパウチのプラスチックフィルムを透過することがある。また、揮発性成分は、液体洗剤入りパウチのプラスチックフィルムを透過し、液体洗剤入りパウチのプラスチックフィルムの間に滲出することになる。そして、滲出した揮発性成分の周囲には、液体洗剤入りパウチのプラスチックフィルムがある状態となる。このように液体洗剤入りパウチのプラスチックフィルムが周囲にある状態では揮発性成分は揮発しにくいので、揮発性成分が積み重ねられた液体洗剤入りパウチのプラスチックフィルムの間に蓄積されるという問題点があった。
【０００７】
揮発性成分の透過を防ぐために、液体洗剤入りパウチのプラスチックフィルムの厚さを厚くすることや、液体洗剤入りパウチのプラスチックフィルムを二重にすることが考えられたが、液体洗剤入りパウチのプラスチックフィルムを引き裂く際の作業性が悪くなるという問題があり、また、コストも高くなるという問題があった。
また、液体洗剤入りパウチのプラスチックフィルムとしてバリア性の高いシリカ蒸着フィルム、アルミ蒸着フィルム、アルミラミネートフィルム等を用いることも考えられた。しかし、揮発性成分が、揮発性アルカリ剤である場合、揮発性アルカリ剤が、これらフィルムと、塗布、蒸着又は金属との張り合わせ層（以下、「接着層」ともいう）に蓄積し、接着層を溶かすという問題点があった。
【０００８】
本発明は、このような問題を解決するためになされたものであり、液体洗剤入りパウチのプラスチックフィルムを透過した液体洗剤の揮発性成分が、液体洗剤入りパウチのプラスチックフィルムの間に蓄積しない液体洗剤入りパウチ梱包箱及び該液体洗剤入りパウチ梱包箱の製造方法を提供することである。
【課題を解決するための手段】
【０００９】
すなわち、本発明の液体洗剤入りパウチ梱包箱は、揮発性成分を含む液体洗剤がプラスチックフィルム内に封入された液体洗剤入りパウチが外箱内に複数個梱包されてなる液体洗剤入りパウチ梱包箱であって、上記複数の液体洗剤入りパウチの間に、吸液性を有する吸収シートが挟まれて、上記液体洗剤入りパウチと上記吸収シートとが交互に積み重ねられて上記外箱内に梱包されていることを特徴とする。
【００１０】
本発明の液体洗剤入りパウチ梱包箱では、上記複数の液体洗剤入りパウチの間に、吸液性を有する吸収シートが挟まれて、上記液体洗剤入りパウチと上記吸収シートとが交互に積み重ねられている。
そのため、揮発性成分が液体洗剤入りパウチのプラスチックフィルムを透過したとしても、揮発性成分は吸収シートに吸収されることになる。そのため、液体洗剤入りパウチのプラスチックフィルムの間に揮発性成分が蓄積することを防ぐことができる。その結果、揮発性成分が作業者の手に付着することを防ぐことができる。
さらに、液体洗剤入りパウチの間に吸収シートが配置されることになるので、搬送時に液体洗剤入りパウチ梱包箱に振動や衝撃が加わったとしても、吸収シートが緩衝材としての役割を果たし、液体洗剤入りパウチが破損しにくくなる。
なお、「吸液性」とは、水や油等の液体を吸収する性質のことを意味する。
吸収シートとしては、吸水性であってもよく、吸油性であってもよく、揮発性成分の種類に応じて選択することが望ましい。
【００１１】
本発明の液体洗剤入りパウチ梱包箱では、上記吸収シートは、紙、不織布又はウレタンシートであることが望ましい。
吸収シートが、紙、不織布又はウレタンシートであると、吸収シートの通気性が良好となる。そのため、吸収シートに吸収された揮発性成分が揮発されやすくなる。従って、作業者が吸収シートに触れたとしても、作業者の手に揮発性成分が付着することを防ぐことができる。
【００１２】
本発明の液体洗剤入りパウチ梱包箱では、上記液体洗剤のｐＨは１０以上であることが望ましい。
ｐＨが上記範囲である液体洗剤は、濃縮タイプの液体洗剤として有用である。また、このようなｐＨの高い液体洗剤は、作業者の手に付着することを避けるべき必要性が高い。このようなｐＨの高い液体洗剤であっても、本発明の液体洗剤入りパウチ梱包箱では、作業者の手に揮発性成分が付着することを防ぐことができる。
【００１３】
本発明の液体洗剤入りパウチ梱包箱では、上記揮発性成分は、揮発性アルカリ剤であることが望ましい。
また、上記揮発性アルカリ剤は、モノエタノールアミン及びジエタノールアミンからなる群より選ばれる少なくとも１種を含むことが望ましい。
これら揮発性アルカリ剤が液体洗剤に含まれていると、本発明の液体洗剤入りパウチ梱包箱から液体洗剤入りパウチを取り出し、液体洗剤入りパウチに封入された液体洗剤を用いる際に、洗浄力を向上させることができる。
【００１４】
本発明の液体洗剤入りパウチ梱包箱では、上記プラスチックフィルムは、ポリエチレンフィルム、ナイロンフィルム、若しくは、ポリエチレンテレフタレートフィルムからなる単層フィルム、又は、ポリエチレンフィルム、ナイロンフィルム、若しくは、ポリエチレンテレフタレートフィルムのうちの１種類又は複数種類からなる多層フィルムからなることが望ましい。
これらプラスチックフィルムは、液体洗剤入りパウチの包装容器として好適に用いることができる。
【００１５】
本発明の液体洗剤入りパウチ梱包箱では、上記外箱の外形は直方体であり、上記液体洗剤入りパウチを平面視した形状は平行四辺形であり、上記外箱を平面視した際に、上記外箱の内壁面に、上記液体洗剤入りパウチの少なくとも１辺が接するように上記液体洗剤入りパウチが配置されており、上記外箱を平面視した際に、上記外箱と上記液体洗剤入りパウチとの隙間には補強材が配置されていることが望ましい。
このように補強材が配置されていると、液体洗剤入りパウチ梱包箱を搬送する際に、衝撃や振動等により液体洗剤入りパウチがずれることを防ぐことができる。その結果、液体洗剤入りパウチが破損することを防ぐことができる。
【００１６】
本発明の液体洗剤入りパウチ梱包箱の製造方法は、外箱内に、揮発性成分を含む液体洗剤がプラスチックフィルム内に封入された液体洗剤入りパウチと、吸液性を有する吸収シートとを交互に積み重ね、複数の上記液体洗剤入りパウチの間に、上記吸収シートを挟む工程を含むことを特徴とする。
液体洗剤入りパウチと、吸液性を有する吸収シートとを交互に積み重ねることで、上記本発明の液体洗剤入りパウチ梱包箱を製造することができる。
【図面の簡単な説明】
【００１７】
【図１】図１は、本発明の第一実施形態に係る液体洗剤入りパウチ梱包箱に含まれる液体洗剤入りパウチの平面図である。
【図２】図２（ａ）は、本発明の第一実施形態に係る液体洗剤入りパウチ梱包箱の一例を模式的に示す斜視図である。図２（ｂ）は、図２（ａ）に示す本発明の液体洗剤入りパウチ梱包箱の内部の透過図である。図２（ｃ）は、図２（ａ）に示す本発明の液体洗剤入りパウチ梱包箱の平面図である。
【図３】図３は、液体洗剤入りパウチの製造工程の一部を模式的に示す斜視図である。
【図４】図４は、ボトム／トップシーラーの断面を模式的に示す断面図である。
【図５】図５（ａ）〜（ｃ）は、梱包工程を模式的に連続して示す斜視図である。
【図６】図６（ａ）は、本発明の第二実施形態に係る液体洗剤入りパウチ梱包箱の一例を模式的に示す透過図である。図６（ｂ）は、図６（ａ）に示す本発明の液体洗剤入りパウチ梱包箱の平面図である。
【図７】図７は、本発明の液体洗剤入りパウチ梱包箱における液体洗剤入りパウチの平面形状の一例を模式的に示す平面図である。
【図８】図８（ａ）〜（ｄ）は、本発明の液体洗剤入りパウチ梱包箱における液体洗剤入りパウチの平面形状の一例を模式的に示す平面図である。
【図９】図９は、本発明の液体洗剤入りパウチ梱包箱における液体洗剤入りパウチの平面形状の一例を模式的に示す平面図である。
【図１０】図１０は、本発明の液体洗剤入りパウチ梱包箱における液体洗剤入りパウチの平面形状の一例を模式的に示す平面図である。
【発明を実施するための形態】
【００１８】
（第一実施形態）
以下、本発明の液体洗剤入りパウチ梱包箱及び液体洗剤入りパウチ梱包箱の製造方法の一実施形態である第一実施形態について具体的に説明する。しかしながら、本発明は、以下の実施形態に限定されるものではなく、本発明の要旨を変更しない範囲において適宜変更して適用することができる。
【００１９】
まず、本発明の第一実施形態に係る液体洗剤入りパウチ梱包箱に含まれる液体洗剤入りパウチの形状について説明する。
図１は、本発明の第一実施形態に係る液体洗剤入りパウチ梱包箱に含まれる液体洗剤入りパウチの平面図である。
図１に示すように、液体洗剤入りパウチ２０の平面視形状は、平行四辺形であり、その大きさは特に限定されないが、底辺の長さＬは、３〜３０ｃｍであることが望ましく、高さＨは、５〜５０ｃｍであることが望ましい。
また、上記平行四辺形の鋭角の角度θは、特に限定されないが、４５°〜７５°であることが望ましい。
【００２０】
液体洗剤入りパウチ２０の封止部分の構造は、特に限定されないが、ヒートシールされた構造であることが望ましい。
例えば、図１に示すように、液体洗剤入りパウチ２０の封止部分の構造は、プラスチックフィルム２１が筒状体になるようにヒートシール加工されたセンターシール部２７、並びに、その筒状体の上端及び下端にそれぞれヒートシール加工されたトップシール部２５及びボトムシール部２６のような構造であってもよい。
なお、このように液体洗剤入りパウチ２０が上記３箇所のヒートシール部を有する場合、液体洗剤入りパウチ２０は、一枚のプラスチックフィルム２１を３箇所ヒートシール加工されることにより形成されていることになる。
なお、液体洗剤入りパウチ２０には、揮発性成分を含む液体洗剤２２がプラスチックフィルム２１内に封入されている。
【００２１】
次に、液体洗剤入りパウチ２０が梱包された本発明の第一実施形態の液体洗剤入りパウチ梱包箱を図面を用いて説明する。
図２（ａ）は、本発明の第一実施形態に係る液体洗剤入りパウチ梱包箱の一例を模式的に示す斜視図である。図２（ｂ）は、図２（ａ）に示す本発明の液体洗剤入りパウチ梱包箱の内部の透過図である。図２（ｃ）は、図２（ａ）に示す本発明の液体洗剤入りパウチ梱包箱の平面図である。
【００２２】
図２（ａ）に示すように、本発明の第一実施形態である液体洗剤入りパウチ梱包箱１０は、揮発性成分を含む液体洗剤２２がプラスチックフィルム２１内に封入された液体洗剤入りパウチ２０が、外箱４０内に複数個梱包されてなる。
【００２３】
また、図２（ｂ）に示すように、液体洗剤入りパウチ梱包箱１０には、複数の液体洗剤入りパウチ２０の間に、吸液性を有する吸収シート３０が挟まれて、液体洗剤入りパウチ２０と吸収シート３０とが交互に積み重ねられて外箱４０内に梱包されている。
【００２４】
液体洗剤入りパウチ２０を長期間保存すると、液体洗剤２２に含まれる揮発性成分が、プラスチックフィルム２１を透過することがある。
しかし、液体洗剤入りパウチ梱包箱１０では、複数の液体洗剤入りパウチ２０の間に、吸液性を有する吸収シート３０が挟まれて、液体洗剤入りパウチ２０と吸収シート３０とが交互に積み重ねられている。そのため、液体洗剤２２に含まれる揮発性成分がプラスチックフィルム２１を透過したとしても、揮発性成分は吸収シート３０に吸収されることになる。そのため、液体洗剤入りパウチ２０のプラスチックフィルム２１の間に揮発性成分が蓄積することを防ぐことができる。その結果、揮発性成分が作業者の手に付着することを防ぐことができる。
さらに、液体洗剤入りパウチ２０の間に吸収シート３０が配置されることになるので、搬送時に液体洗剤入りパウチ梱包箱１０に振動や衝撃が加わったとしても、吸収シート３０が緩衝材としての役割を果たし、液体洗剤入りパウチ２０が破損しにくくなる。
【００２５】
なお、液体洗剤入りパウチ梱包箱１０において、吸収シート３０は、液体洗剤入りパウチ２０の間に配置されていれば、配置位置は特に限定されないが、外箱４０と液体洗剤入りパウチ２０との間にも配置されていることが望ましい。
【００２６】
図２（ａ）〜（ｃ）に示すように、本発明の第一実施形態に係る液体洗剤入りパウチ梱包箱１０では、外箱４０の外形は直方体であり、液体洗剤入りパウチ２０を平面視した形状は平行四辺形であり、外箱４０を平面視した際に、外箱４０の内壁面４１に、液体洗剤入りパウチ２０のトップシール部２５及びボトムシール部２６が接するように液体洗剤入りパウチ２０が配置されており、外箱４０を平面視した際に、外箱４０と液体洗剤入りパウチ２０との隙間には補強材５０が配置されている。
また、補強材５０は、外箱４０と液体洗剤入りパウチ２０との隙間を埋めるように三角柱状をしている。
このように補強材５０が配置されていると、液体洗剤入りパウチ梱包箱１０を搬送する際に、衝撃や振動等により液体洗剤入りパウチ２０がずれることを防ぐことができる。その結果、液体洗剤入りパウチ２０が破損することを防ぐことができる。
【００２７】
次に、液体洗剤入りパウチ２０を構成する揮発性成分を含む液体洗剤２２及びプラスチックフィルム２１について説明する。
【００２８】
まず、揮発性成分を含む液体洗剤２２について説明する。
液体洗剤２２のｐＨは、特に限定されないが、１０以上であることが望ましく、１０〜１３であることがより望ましい。
ｐＨが上記範囲である液体洗剤２２は、濃縮タイプの液体洗剤として有用である。また、このようなｐＨの高い液体洗剤２２は、作業者の手に付着することを避けるべき必要性が高い。このようなｐＨの高い液体洗剤であっても、液体洗剤入りパウチ梱包箱１０では、作業者の手に揮発性成分が付着することを防ぐことができる。
【００２９】
本明細書において揮発性成分とは、常温常圧で気化し、プラスチックフィルム２１を透過する物質を意味する。
液体洗剤２２に含まれる揮発性成分としては、特に限定されないが、揮発性の界面活性剤、溶剤、アルカリ剤等があげられる。これらの中では、揮発性アルカリ剤であることが望ましい。
揮発性アルカリ剤の含有量を調整することにより、液体洗剤２２のｐＨを上記の望ましい範囲にすることができる。
【００３０】
揮発性アルカリ剤としては、特に限定されないが、モノエタノールアミン及びジエタノールアミンからなる群より選ばれる少なくとも１種を含むことが望ましい。
これら揮発性アルカリ剤が液体洗剤２２に含まれていると、液体洗剤入りパウチ梱包箱１０から液体洗剤入りパウチ２０を取り出し、液体洗剤入りパウチ２０に封入された液体洗剤２２を用いる際に、洗浄力を向上させることができる。
【００３１】
また、液体洗剤２２は、上記揮発性成分を含んでいれば、他の成分は特に限定されず、例えば、不揮発性の界面活性剤、溶剤、キレート剤等を含んでいてもよい。
界面活性剤としては、特に限定されないが、アルキルアミンオキシド、ポリオキシエチレンアルキルエーテル等があげられる。溶剤としては、特に限定されないが、グリコールエーテル類又はアルコール類等があげられる。キレート剤としては、特に限定されないが、クエン酸等があげられる。
【００３２】
液体洗剤２２の粘度は、特に限定されないが、２０℃において、３０〜２０００ｍＰａ・ｓであることが望ましい。
液体洗剤の粘度が、３０ｍＰａ・ｓ未満であると、細かい泡が発生しやすい。そのため、プラスチックフィルム２１を引き裂いて液体洗剤を取り出す際に、液体洗剤が飛び散りやすくなり、作業者の手に液体洗剤が付着しやすくなる。
液体洗剤の粘度が、２０００ｍＰａ・ｓを超えると液体洗剤の流動性が悪く、スムーズに液体洗剤を注ぎにくくなる。また、液体洗剤がプラスチックフィルム２１の内面に付着してプラスチックフィルム２１内に残留しやすくなる。
なお、本明細書において、液体洗剤の粘度とは、ＪＩＳ  Ｋ  ７１１７−２に準拠し、回転粘度計を用いて測定した値のことをいう。
【００３３】
液体洗剤２２の量は、特に限定されないが、プラスチックフィルム２１の内容積の７０％以下であることが望ましい。
液体洗剤の量が、プラスチックフィルムの内容積の７０％を超えて多くなっていると、プラスチックフィルムを引き裂いた際に液体洗剤が飛び散ることがあるためである。
【００３４】
次に、プラスチックフィルム２１について説明する。
プラスチックフィルム２１の材質は、特に限定されないが、ポリエチレンフィルム、ナイロンフィルム、若しくは、ポリエチレンテレフタレートフィルムからなる単層フィルム、又は、ポリエチレンフィルム、ナイロンフィルム、若しくは、ポリエチレンテレフタレートフィルムのうちの１種類又は複数種類からなる多層フィルムからなることが望ましい。
これら材質のプラスチックフィルム２１は、液体洗剤入りパウチの包装容器として好適に用いることができる。
【００３５】
プラスチックフィルム２１の厚さは、特に限定されないが、５０〜１００μｍであることが望ましい。
プラスチックフィルムの厚さが、５０μｍ未満であると、プラスチックフィルムが薄いことに起因して、液体洗剤入りパウチが破損しやすくなる。また、液体洗剤中の揮発性成分がプラスチックフィルムを透過しやすくなる。
また、プラスチックフィルムの厚さが、１００μｍを超えると、プラスチックフィルムを引き裂きにくくなり、プラスチックフィルムを引き裂く際に、液体洗剤が飛び散りやすくなる。
【００３６】
次に、吸液性を有する吸収シート３０について説明する。
吸収シート３０の材質は、特に限定されないが、紙、不織布又はウレタンシートであることが望ましい。これらの中では、紙であることがより望ましい。
吸収シート３０が、紙、不織布又はウレタンシートであると、吸収シート３０の通気性が良好となる。
吸収シート３０に揮発性成分が吸収される際に、揮発性成分が毛細管現象により拡散されて蒸発しやすくなる。また、吸収シート３０には凹凸があるので、液体洗剤入りパウチ２０の間に隙間が生じ、通気性が良くなることで揮発性成分が蒸発しやすくなる。
そのため、吸収シート３０に吸収された揮発性成分が揮発されやすくなる。従って、作業者が吸収シートに触れたとしても、作業者の手に揮発性成分が付着することを防ぐことができる。
【００３７】
吸収シート３０の厚さは、０．０１〜１０ｍｍであることが望ましく、０．０４〜５ｍｍであることがより望ましい。
吸収シート３０の厚さが、０．０１ｍｍ未満であると、吸収シート３０の通気性が不充分となり、吸収シート３０に吸収された揮発性成分が液体洗剤入りパウチ２０の間に蓄積しやすくなる。
吸収シート３０の厚さが、１０ｍｍを超えると、外箱４０に梱包する液体洗剤入りパウチ２０の量が少なくなり、効率的に液体洗剤入りパウチ２０を搬送できなくなる。
【００３８】
吸収シート３０の形状は、特に限定されないが、平面視した際に、液体洗剤入りパウチ２０の平面視形状と同じ形状であることが望ましい。なお、長方形の場合は端の部分をパウチと同じ角度で折りたたむことにより使用できる。
【００３９】
次に、外箱４０及び補強材５０について説明する。
外箱４０は、段ボールからなることが望ましい。
また、外箱４０の大きさは、縦×横×高さ＝１５×１０×１０〜６０×４０×５０ｃｍであることが望ましい。
【００４０】
補強材５０の形状は、特に限定されないが、図２（ａ）〜（ｃ）に示すように、三角柱状であることが望ましい。
以下に、より具体的な補強材５０の望ましい形状を説明する。
液体洗剤入りパウチ梱包箱１０を製造する際には、外箱４０に補強材５０を配置し、その後、液体洗剤入りパウチ２０を配置することになる。補強材５０の形状は、外箱４０に補強材５０を配置すると、液体洗剤入りパウチ２０を配置するための平面視平行四辺形の空間が形成されるような形状であることが望ましい。
【００４１】
補強材５０は、段ボールで外枠が形成され外枠の内側に紙が詰められて形成されていてもよく、発泡スチロールにより形成されていてもよい。
これらから形成されている補強材５０は、緩衝作用があるので、液体洗剤入りパウチ２０が破損することを防ぐ効果を向上させることができる。
【００４２】
次に、液体洗剤入りパウチ梱包箱の製造方法について説明する。
【００４３】
（１）液体洗剤入りパウチ製造工程
まず、液体洗剤入りパウチの製造工程を説明する。
図３は、液体洗剤入りパウチの製造工程の一部を模式的に示す斜視図である。
図３は、液体洗剤入りパウチの製造装置６０を示している。液体洗剤入りパウチの製造装置６０は、ローラー６１、液体洗剤投入口６２、ローラー６３、センターシーラー６４、ボトム／トップシーラー６５を備えている。
【００４４】
液体洗剤入りパウチ２０の製造工程では、プラスチックフィルム２１を準備し、液体洗剤入りパウチの製造装置６０のローラー６１で搬送する。
【００４５】
続いて、プラスチックフィルム２１を、円筒状の液体洗剤投入口６２に巻き付けて、ローラー６３で下方向に搬送させながらセンターシーラー６４を用いてヒートシール加工して、両端に開口部を有するプラスチックフィルム２１の筒状体とする。
【００４６】
続いて、ボトム／トップシーラー６５を用いて、プラスチックフィルム２１の筒状体の下端に位置する開口部をヒートシール加工することによってボトムシール部２６を設ける。
図４は、ボトム／トップシーラーの断面を模式的に示す断面図である。
ボトム／トップシーラー６５は、ボトムシーラー６５ａ及びトップシーラー６５ｂがプラスチックフィルム２１を挟んで対向しており、ボトムシーラー６５ａ間、トップシーラー６５ｂ間でプラスチックフィルム２１を挟むことにより同時に２箇所のヒートシール加工を行うことができる。
このような機構であると、前ロットの液体洗剤入りパウチ２０のトップシール部２５の形成と後ロットのパウチのボトムシール部２６の形成を同時に行うことができる。
また、ボトムシーラー６５ａとトップシーラー６５ｂの間にはカッター６５ｃが設けられており、カッター６５ｃを用いてプラスチックフィルム２１を切断することによって、２箇所のヒートシール加工、及び、前ロットの液体洗剤入りパウチ２０と後ロットの液体洗剤入りパウチ２０との分離を連続的に行うことができる。
【００４７】
なお、上記ボトム／トップシーラー６５ではプラスチックフィルム２１を搬送させることなく２箇所のヒートシール加工及びプラスチックフィルム２１の切断を行うが、ヒートシール加工及びプラスチックフィルム２１の切断の態様はこの態様に限定されるものではない。
例えば、２箇所のヒートシール加工の後にプラスチックフィルム２１を搬送してプラスチックフィルム２１の切断を別途行ってもよい。また、前ロットの液体洗剤入りパウチ２０のトップシール部２５の形成を行った後にプラスチックフィルム２１を搬送して、後ロットの液体洗剤入りパウチ２０のボトムシール部２６の形成を行うとともにプラスチックフィルム２１の切断を行ってもよい。
【００４８】
次に、ボトムシール部２６を設けたプラスチックフィルム２１の筒状体に、液体洗剤投入口６２から揮発性成分を含む液体洗剤２２を投入して、プラスチックフィルム２１の筒状体の中に液体洗剤２２を充填する。
【００４９】
次に、液体洗剤２２を充填したプラスチックフィルム２１をさらに下方に搬送し、液体洗剤２２が充填されていない部分がトップシーラー６５ｂよりも下方の所定位置に到達した時点で、ボトム／トップシーラー６５を用いてプラスチックフィルム２１の筒状体の開口部にトップシール部２５を形成する。さらに、プラスチックフィルム２１の筒状体をトップシール部２５の外側で切断する。
このような工程により、液体洗剤２２がプラスチックフィルム２１内に封入された液体洗剤入りパウチ２０を連続的に製造することができる。
【００５０】
液体洗剤入りパウチ２０の製造方法は、上述したようなパウチの製造と液体洗剤２２の封入を同時に行う方法に限定されるものではなく、パウチの製造と液体洗剤２２の封入を別々に行う方法によってもよい。
上記工程において、液体洗剤投入口６２から洗剤を投入せずにトップシール部２５を形成すると、液体洗剤が入っていないパウチを製造することができる。そして、そのパウチに液体洗剤２２を封入するための開口を別途形成し、液体洗剤２２を封入した後にその開口を閉じることによっても、液体洗剤入りパウチ２０を製造することができる。
【００５１】
（２）梱包工程
次に、液体洗剤入りパウチ２０を外箱４０に梱包する梱包工程を説明する。
梱包工程では、外箱４０内に、揮発性成分を含む液体洗剤２２がプラスチックフィルム２１内に封入された液体洗剤入りパウチ２０と、吸液性を有する吸収シート３０とを交互に積み重ね、複数の液体洗剤入りパウチの間２０に、吸収シート３０を挟む。
この工程を図面を用いて説明する。
図５（ａ）〜（ｃ）は、梱包工程を模式的に連続して示す斜視図である。
【００５２】
（２−１）補強材の配置
図５（ａ）に示すように、まず、液体洗剤入りパウチ２０を配置する為の平面視平行四辺形の空間が形成されるように、補強材５０を外箱４０に配置する。
【００５３】
（２−２）吸収シートの配置
次に、図５（ｂ）に示すように、外箱４０の内底に吸収シート３０を配置する。
【００５４】
（２−３）液体洗剤入りパウチの配置
次に、図５（ｃ）に示すように、吸収シート３０の上に液体洗剤入りパウチ２０を配置し、さらに吸収シート３０及び液体洗剤入りパウチ２０を交互に積み重ね、所定数の液体洗剤入りパウチ２０の間に、吸収シート３０を挟む。
以上の工程を経て液体洗剤入りパウチ梱包箱１０を製造することができる。
【００５５】
（実施例１）
以下に本発明をより具体的に説明する実施例を示すが、本発明はこれらの実施例に限定されるものではない。
【００５６】
（１）液体洗剤入りパウチ製造工程
プラスチックフィルムとして、ナイロンフィルムとポリエチレンフィルムからなる厚さ７５μｍの多層（２層）フィルムを用い、図３に示した液体洗剤入りパウチの製造装置を使用して、図１に記載した形状の液体洗剤入りパウチを作成した。
なお、液体洗剤入りパウチ内に封入する液体洗剤の組成は、揮発性アルカリ剤としてモノエタノールアミンが１９．８重量％、溶剤としてジエチレングリコールモノブチルエーテルが５．０重量％、キレート剤としてクエン酸が１．０重量％、界面活性剤としてラウリルジメチルアミンオキシドが１０．０重量％及びポリオキシエチレン分岐デシルエーテルが５．０重量％、並びに、水が５９．２重量％であった。
また、液体洗剤入りパウチ内に封入する液体洗剤の量は、１０００ｍＬであった。
製造した液体洗剤入りパウチの形状は、平面視した際に、底辺が２８ｃｍ、高さが１９ｃｍ、鋭角の角度が６０°の平行四辺形状であった。
（２）梱包工程
（２−１）補強材の配置
まず、縦×横×高さ＝３６×１９×１４ｃｍの段ボール製の外箱を準備した。
次に、補強材の外枠となる段ボールを２つ外箱に配置した。補強材の外枠の形状は、三角柱状であり、底面の三角形の形状が、底辺が７．５ｃｍ、高さが１７．５ｃｍの直角三角形であり、三角柱の高さが１３ｃｍであった。その後、補強材の外枠の内側に紙を入れて補強材を作製した。
外箱に２つの補強材を配置することにより、外箱を平面視した際に、底辺が２８ｃｍ、高さが１９ｃｍ、鋭角の角度が６０°の平行四辺形の空間が形成された。
【００５７】
（２−２）吸収シートの配置
次に、外箱の内底に吸収シートを配置した。
吸収シートは、紙製であり、平面視形状が、底辺が２８ｃｍ、高さが１９ｃｍ、鋭角の角度が６０°の平行四辺形であった。また、吸収シートの厚さは、０．１ｍｍであった。
【００５８】
（２−３）液体洗剤入りパウチの配置
次に、吸収シートの上に液体洗剤入りパウチを配置した。その後、吸収シート及び液体洗剤入りパウチを交互に積み重ね、４個の液体洗剤入りパウチの間に、吸収シートを挟んだ。
以上の工程を経て実施例１に係る液体洗剤入りパウチ梱包箱を製造した。
【００５９】
（比較例１）
液体洗剤入りパウチの間に吸収シートを挟まない以外は、実施例１と同様にして比較例１に係る液体洗剤入りパウチ梱包箱を製造した。
【００６０】
（液体洗剤滞留評価）
実施例１及び比較例１の液体洗剤入りパウチ梱包箱を４５℃で、１ヶ月間保存した。その後、液体洗剤入りパウチ間に液体洗剤の揮発性成分が滞留しているか否かを目視で確認した。
実施例１に係る液体洗剤入りパウチ梱包箱では、液体洗剤入りパウチ間に液体洗剤の揮発性成分の滞留がなかった。
比較例１に係る液体洗剤入りパウチ梱包箱では、液体洗剤入りパウチ間に液体洗剤の揮発性成分の滞留があった。
【００６１】
（第二実施形態）
次に、本発明の液体洗剤入りパウチ梱包箱及び液体洗剤入りパウチ梱包箱の製造方法の一実施形態である第二実施形態について説明する。
【００６２】
図６（ａ）は、本発明の第二実施形態に係る液体洗剤入りパウチ梱包箱の一例を模式的に示す透過図である。図６（ｂ）は、図６（ａ）に示す本発明の液体洗剤入りパウチ梱包箱の平面図である。
【００６３】
図６（ａ）に示すように、本発明の第二実施形態に係る液体洗剤入りパウチ梱包箱１１０は、液体洗剤入りパウチ１２０、吸収シート１３０及び外箱１４０からなる。
液体洗剤入りパウチ１２０、吸収シート１３０及び外箱１４０の大きさ及び形状は、本発明の第一実施形態に係る液体洗剤入りパウチ梱包箱１０の液体洗剤入りパウチ２０、吸収シート３０及び外箱４０の大きさ及び形状が異なる以外は、本発明の第一実施形態に係る液体洗剤入りパウチ梱包箱１０と同じである。
すなわち、複数の液体洗剤入りパウチ１２０の間に、吸液性を有する吸収シート１３０が挟まれて、液体洗剤入りパウチ１２０と吸収シート１３０とが交互に積み重ねられて外箱１４０内に梱包されている。
【００６４】
図６（ｂ）に示すように、液体洗剤入りパウチ１２０の平面視形状は、一つの鋭角部、一つの鈍角部、及び、二つの直角部を有する台形状である。
また、図６（ａ）及び（ｂ）に示すように、吸収シート１３０の間には、２つの液体洗剤入りパウチ１２０が配置されている。そして、平面視した際に、２つの液体洗剤入りパウチ１２０を合わせると、長方形状になるように、２つの液体洗剤入りパウチ１２０が配置されている。
【００６５】
このように、吸収シート１３０の間に、２つの液体洗剤入りパウチ１２０を配置することにより、効率的に液体洗剤入りパウチ１２０を搬送することができる。
【００６６】
液体洗剤入りパウチ梱包箱１１０は、液体洗剤入りパウチ１２０、吸収シート１３０及び外箱１４０の形状、大きさを変える以外は、本発明の第一実施形態に係る液体洗剤入りパウチ梱包箱１０を製造する方法と同様の方法で製造することができる。
【００６７】
（その他の実施形態）
本発明の第一実施形態に係る液体洗剤入りパウチ梱包箱１０では、液体洗剤入りパウチ２０の形状は平面視平行四辺形であったが、本発明の液体洗剤入りパウチ梱包箱では、液体洗剤入りパウチの形状は、特に限定されず、平面視形状が三角形、台形、ひし形、長方形、正方形等の多角形、円形、楕円形、長円形等の形状であってもよい。
なお、本明細書において「多角形」とは数学的に厳密な意味で多角形という意味ではなく、その頂点部分が丸くなっていたり、辺の一部が曲線となっている場合も含む概念である。
さらに、液体洗剤入りパウチの形状は、図７、図８（ａ）〜（ｄ）、図９及び図１０に示すような形状であってもよい。
図７、図８（ａ）〜（ｄ）、図９及び図１０は、本発明の液体洗剤入りパウチ梱包箱における液体洗剤入りパウチの平面形状の一例を模式的に示す平面図である。
【００６８】
図７に示す液体洗剤入りパウチ２２０は、平面視形状が、直線である第１の短辺２２１、第２の短辺２２２、第１の長辺２２３、第２の長辺２２４を有し、曲線である傾斜線２３１を有する。
この形状は、第２の短辺２２２と同じ長さの辺を短辺とし、第２の長辺２２４と同じ長さの辺を長辺とする、短辺と長辺を有する長方形をはじめに考え、次に上記長方形において短辺上に位置する点（図７における点２３２）を始点とし、長辺上に位置する点（図７における点２３３）を終点とする曲線で上記長方形を切断してなる形状である。上記長方形を切断する曲線が傾斜線２３１となる。
【００６９】
図８（ａ）〜（ｄ）に示す液体洗剤入りパウチでは、傾斜線の形状が図７に示す液体洗剤入りパウチ２２０と異なる。
図８（ａ）に示す液体洗剤入りパウチ３２０では、傾斜線は１本の直線である傾斜線３３１からなる。
図８（ｂ）に示す液体洗剤入りパウチ４２０では、傾斜線は２本の直線である傾斜線４３１ａ、４３１ｂからなる。
図８（ｃ）に示す液体洗剤入りパウチ５２０では、傾斜線は２本の曲線である傾斜線５３１ａ、５３１ｂからなる。
図８（ｄ）に示す液体洗剤入りパウチ６２０では、傾斜線は１本の曲線６３１ａ及び１本の直線６３１ｂからなる。
すなわち、傾斜線は１本若しくは複数本の直線、及び／又は、１本若しくは複数本の曲線からなっていてもよい。
【００７０】
図９に示す液体洗剤入りパウチ７２０では、傾斜線の形状が図７に示すパウチ２２０と異なる。
図９に示す液体洗剤入りパウチ７２０では、傾斜線は２本の直線７３１ａ及び７３１ｂからなる。
傾斜線７３１ｂは、第２の長辺２２４と平行であり、かつ、第１の短辺２２１と形成する角度が直角となる直線である。すなわち、傾斜線は第２の長辺及び第１の短辺とこのような角度を形成する線であってもよい。
【００７１】
図１０に示す液体洗剤入りパウチ８２０では、第１の短辺が設けられていない。
傾斜線８３１は第２の長辺２２４の一端を始点とし、第１の長辺２２３の一端を終点とする曲線である。液体洗剤入りパウチはこのような形状であってもよい。
【００７２】
本発明の第一実施形態に係る液体洗剤入りパウチ梱包箱１０では、吸収シート３０を外箱４０の内底に配置してから液体洗剤入りパウチ２０を配置していたが、本発明の液体洗剤入りパウチ梱包箱では、液体洗剤入りパウチを外箱の内底に直接配置してもよい。
また、最上部の液体洗剤入りパウチの上に、さらに吸収シートを配置してもよい。
【００７３】
本発明の第一実施形態に係る液体洗剤入りパウチ梱包箱１０では、液体洗剤入りパウチの間に配置される吸収シートの枚数は１枚であったが、本発明の液体洗剤入りパウチ梱包箱では、吸収シートの枚数は２枚以上であってもよい。
【００７４】
本発明の第一実施形態に係る液体洗剤入りパウチ梱包箱１０では、外箱４０を平面視した際に、外箱４０の内壁面４１に、液体洗剤入りパウチ２０のトップシール部２５及びボトムシール部２６が接するように液体洗剤入りパウチ２０が配置されていたが、本発明の液体洗剤入りパウチ梱包箱では、平面視した際に、外箱の内壁面に、液体洗剤入りパウチの少なくとも１辺が接するように液体洗剤入りパウチが配置されていてもよい。
また、平面視した際に、外箱の内壁面に液体洗剤入りパウチの輪郭部分が全く接していなくてもよい。なお、外箱の内壁面に液体洗剤入りパウチの輪郭部分が全く接していない場合には、液体洗剤入りパウチの周囲には補強材があることが望ましい。
【００７５】
本発明の第一実施形態に係る液体洗剤入りパウチ梱包箱１０では、液体洗剤入りパウチ２０は、一枚のプラスチックフィルム２１を３箇所ヒートシール加工されることにより形成されていたが、本発明の液体洗剤入りパウチ梱包箱では、２枚のプラスチックフィルムを張り合わせ四方がヒートシール加工されることにより形成されていてもよい。
【符号の説明】
【００７６】
１０、１１０  液体洗剤入りパウチ梱包箱
２０、１２０、２２０、３２０、４２０、５２０、６２０、７２０、８２０  液体洗剤入りパウチ
２１  プラスチックフィルム
２２  液体洗剤
２５  トップシール部
２６  ボトムシール部
２７  センターシール部
３０、１３０  吸収シート
４０、１４０  外箱
４１  内壁面
５０  補強材
６０  液体洗剤入りパウチの製造装置
６１  ローラー
６２  液体洗剤投入口
６３  ローラー
６４  センターシーラー
６５  ボトム／トップシーラー
【図１】
0006486663.tif 000002
【図２】
0006486663.tif 000003
【図３】
0006486663.tif 000004
【図４】
0006486663.tif 000005
【図５】
0006486663.tif 000006
【図６】
0006486663.tif 000007
【図７】
0006486663.tif 000008
【図８】
0006486663.tif 000009
【図９】
0006486663.tif 000010
【図１０】
0006486663.tif 000011